(57)【特許請求の範囲】
【請求項１】
ＲＦタグのユニークなタグＩＤと、商品の個体識別番号をデータベース上で紐付ける、タグＩＤと個体識別番号との紐付け方法であって、
ＲＦタグに関する情報としてタグＩＤ、組ＩＤ及び通番を格納するタグデータベースと、商品に関する情報として前記タグＩＤ及び個体識別番号を格納する商品データベースと、を利用可能なＲＦタグ個体識別番号紐付けシステムが、
前記ＲＦタグ個体識別番号紐付けシステムが備えるＲＦタグ読取部にて一つのＲＦタグを読み取り、前記ＲＦタグのタグＩＤを個体識別番号と紐付け、その紐付け情報をもとに前記タグデータベースに格納された複数のタグＩＤと、前記商品データベースに格納された複数の個体識別番号とを、それぞれ一対一に対応させてデータベース上で紐付けるため、
前記タグデータベースでタグＩＤに組ＩＤと通番を紐付け、ＲＦタグ読取部で読み取られたＲＦタグのタグＩＤが紐付く組ＩＤと通番をタグデータベースで検索し、前記組ＩＤと同じ組ＩＤを持ち、且つ、前記通番より大きい通番を持つ複数のタグＩＤを検索し、
前記ＲＦタグ読取部で読み取られたＲＦタグのタグＩＤと紐付けられた個体識別番号をもとに、前記個体識別番号より大きい複数の個体識別番号を商品データベースで検索し、
前記検索された複数のタグＩＤと、前記検索された複数の個体識別番号とを、タグＩＤと個体識別番号との一対一の対応付けに利用することで、複数のタグＩＤと複数の個体識別番号の一対一の対応付けを一度に決定することを特徴とする、タグＩＤと個体識別番号との紐付け方法。
【請求項２】
請求項１に記載のタグＩＤと個体識別番号との紐付け方法において、
商品データベースで個体識別番号にインデックスを割り振り、
ＲＦタグ読取部で読み取られたＲＦタグのタグＩＤと紐付けられた個体識別番号が紐付くインデックスを商品データベースで検索し、
前記インデックスより大きいインデックスを持つ複数の個体識別番号を検索し、
検索された複数の個体識別番号を、タグＩＤと個体識別番号との一対一の対応付けに利用することを特徴とする、タグＩＤと個体識別番号との紐付け方法。
【発明の詳細な説明】
【技術分野】
【０００１】
本発明は、個体識別の手段として活用されているＲＦＩＤ（Ｒａｄｉｏ  Ｆｒｅｑｕｅｎｃｙ  ＩＤｅｎｔｉｆｉｃａｔｉｏｎ）の分野において、特に、商品にＲＦ（Ｒａｄｉｏ  Ｆｒｅｑｕｅｎｃｙ）タグを貼付する際の、ＲＦタグのユニークなＩＤと、商品の個体識別番号（商品コード・製造番号など）との紐付け方法に関する。
【背景技術】
【０００２】
ＲＦタグは、ユニークなＩＤを保持し、ＲＦタグの読取機と非接触で通信できるため、その利点を活かして棚卸作業や検品作業の効率化に貢献している。
【０００３】
商品の識別には、従来からバーコードや文字などの光学的に読み取り可能なラベルが使用されてきている。
【０００４】
そうした中で、ＲＦタグとラベルの両方を有する商品タグを効率的に製造できる商品タグ発行機が提案されている（特許文献１参照）。前記商品タグ発行機は、商品タグを発行する際に商品に関する情報をバーコード印字部に供給するとともに、読取部で読み取られたＲＦタグのＩＣチップのＩＤと、印字部に供給され商品タグに印字される商品情報を紐付けて、データベースに蓄積するものである。
【０００５】
【特許文献１】特開２００７−４１８３３号公報
【発明の開示】
【発明が解決しようとする課題】
【０００６】
しかしながら従来技術においては、商品タグを発行する際に、ＲＦタグのＩＤを一つ一つ読み取りながら、それに対応して商品情報を印字しており、商品タグが複数存在する場合は、ＲＦタグを複数回読み取らなければならない。そのため、ＲＦタグのＩＤと商品情報との紐付けには、ＲＦタグを複数回読むことが必要なため、紐付けを行う現場での業務効率が下がる。なお、輻輳制御に対応したＲＦタグでは複数のＲＦタグを一括で読み取ることが可能であるが、製造番号などの個体識別番号を含む商品情報とＲＦタグを紐付ける場合は、ＲＦタグを一つ一つ読み取って、その都度、商品情報と紐付ける必要がある。
【０００７】
そこで本発明の目的は、ＲＦタグへの商品情報の紐付けを簡素化するために、ＲＦタグの読み取りを一回行うだけで、複数のＲＦタグと商品情報の紐付けを完了させることである。
【課題を解決するための手段】
【０００８】
上記課題を解決する本発明のＲＦタグと個体識別番号との紐付け方法は、ＲＦタグを一度読み取るだけで、複数のＲＦタグのタグＩＤと、複数の商品の個体識別番号を自動的にデータベース上で紐付ける方法であって、前記方法を実現するＲＦタグ個体識別番号紐付けシステムが、ＲＦタグに関する情報を格納するタグデータベースと、商品に関する個体識別番号を格納する商品データベースとを利用可能であり、前記ＲＦタグ個体識別番号紐付けシステムは、ＲＦタグに格納されているタグＩＤを読み取り、ＲＦタグが属する組ＩＤを入力インターフェイスより取得し、組ＩＤの中でユニークな通番を発番するとともに、商品の個体識別番号を入力インターフェイスより取得し、タグＩＤと個体識別番号をデータベースで紐付け、組ＩＤと通番をもとにタグＩＤと個体識別番号の組み合わせの複数の候補を選定して出力インターフェイスに出力し、前記タグＩＤと前記個体識別番号とをデータベース上で自動的に紐付けることを特徴とする。
【発明の効果】
【０００９】
本発明によれば、ＲＦタグを一度読み取るだけで、複数のＲＦタグのタグＩＤと、複数の商品の個体識別番号を自動的にデータベース上で紐付けることを可能とする。
【発明を実施するための最良の形態】
【００１０】
以下、本発明を実施するための最良の形態を、図面を用いて説明する。なお、本実施の形態においては、商品に個体識別用の商品コード・製造番号を割り振り、その商品コード・製造番号とＲＦタグのタグＩＤをデータベース上で紐付ける状況を想定する。ただし、これにより本発明が限定されるものではなく、商品コード・製造番号に類する個体識別番号が割り振られた商品や、前記個体識別番号が割り振られた商品以外のものに対するタグＩＤの紐付けを行ういずれの状況にも本発明は適用可能である。
【００１１】
図１は、本発明を実施するための最良の形態において、商品の商品コード・製造番号にＲＦタグのタグＩＤの紐付けを行うＲＦタグ個体識別番号紐付けシステムの一利用形態における構成図である。
【００１２】
前記ＲＦタグ個体識別番号紐付けシステムは、ＲＦタグのタグＩＤを読み取るとともに組ＩＤ・通番を発番してＲＦタグに印字するタグ発行機１２０と、商品１００の種類の識別番号を示すＪＡＮ（Ｊａｐａｎｅｓｅ  Ａｒｔｉｃｌｅ  Ｎｕｍｂｅｒ）などの商品コードと、商品１００を個体識別するために個別に割り振られた製造番号とをラベルに印字するラベル発行機１４０と、ＲＦタグからタグＩＤを読み取り、商品コード・製造番号と紐付ける携帯端末機１６０と、タグ発行機１２０とラベル発行機１４０と携帯端末機１６０の間の通信に利用される通信回線１８０から構成される。また、ＲＦタグ個体識別番号紐付けシステムで使用される商品１００には、タグ発行機１２０で印字されたＲＦタグ１０１とラベル発行機１４０で印字されたラベル１０２が貼付される。
【００１３】
なお、前記通信回線１８０に関しては、インターネットやＬＡＮの他、専用回線やＷＡＮ（Ｗｉｄｅ  Ａｒｅａ  Ｎｅｔｗｏｒｋ）、電灯線ネットワーク、無線ネットワーク、公衆回線網、携帯電話網など様々なネットワークを採用することも出来る。また、ＶＰＮ（Ｖｉｒｔｕａｌ  Ｐｒｉｖａｔｅ  Ｎｅｔｗｏｒｋ）など仮想専用ネットワーク技術を用いれば、インターネットを採用した際にセキュリティ性を高めた通信が確立され好適である。
【００１４】
タグ発行機１２０は、ＲＦタグ読取部１２１と、タグ情報受付部１２２と、ＲＦタグ印字部１２３を備える。なお、これらの機能部は、本発明のＲＦタグ個体識別番号紐付けシステムの有する機能を実現するプログラム１２４を構成するものとできる。このプログラム１２４はシステムの適宜な記憶装置（メモリなど）１２５に格納されていて、演算装置たるＣＰＵを含む制御部１２６が読み出して実行する。また、タグ発行機１２０は、入出力部１２７と、タグデータベース１２８と、通信部１２９も備えている。
【００１５】
ここで、ＲＦタグ読取部１２１は、ＲＦタグに格納されたユニークなタグＩＤを読み取るものである。タグ情報受付部１２２は、タグＩＤに紐付ける組ＩＤを受け付け、組ＩＤに基づいて通番を発番するものである。組ＩＤは複数のＲＦタグを一つの組とみなすためのＩＤで、同じ組ＩＤのＲＦタグに対して通番はユニークに割り振る。また通番は通し番号とするため、番号の若い方から順々に割り振る。ＲＦタグ印字部１２３は、組ＩＤ・通番をＲＦタグに印字するものである。また、入出力部１２７は、タグＩＤを出力する出力処理部および出力インターフェイスであり、組ＩＤを入力する入力処理部および入力インターフェイスである。また、通信部１２９は、通信回線１８０を介して携帯端末機１６０との通信を行う。
【００１６】
ここで、ラベル発行機１４０は、商品情報受付部１４１と、ラベル印字部１４２を備える。なお、これらの機能部は、本発明のＲＦタグ個体識別番号紐付けシステムの有する機能を実現するプログラム１４３を構成するものとできる。このプログラム１４３はシステムの適宜な記憶装置（メモリなど）１４４に格納されていて、演算装置たるＣＰＵを含む制御部１４５が読み出して実行する。また、ラベル発行機１４０は、入力部１４６と、商品データベース１４７と、通信部１４８も備えている。
【００１７】
ここで、商品情報受付部１４１は、商品の種類の識別番号を示す商品コードや、商品を個体識別するために商品個別に割り振られる製造番号などの商品情報の入力を受け付けるものである。ラベル印字部１４２は、商品コード、製造番号をラベルに印字するものである。また、入力部１４６は、商品コードと製造番号などの商品情報を入力する入力処理部および入力インターフェイスである。また、通信部１２９は、通信回線１８０を介して携帯端末機１６０との通信を行う。
【００１８】
ここで、携帯端末機１６０は、データ送受信部１６１と、ＲＦタグ読取部１６２と、データ紐付部１６３と、紐付データ表示部１６４を備える。なお、これらの機能部は、本発明のＲＦタグ個体識別番号紐付けシステムの有する機能を実現するプログラム１６５を構成するものとできる。このプログラム１６５はシステムの適宜な記憶装置（メモリなど）１６６に格納されていて、演算装置たるＣＰＵを含む制御部１６７が読み出して実行する。また、携帯端末機１６０は、入出力部１６８と、商品データベース１６９と、タグデータベース１７０と、通信部１７１も備えている。
【００１９】
ここで、データ送受信部１６１は、タグ発行機１２０やラベル発行機１４０からデータを受信してタグデータベース１７０や商品データベース１６９に格納するとともに、商品データベース１６９のデータをラベル発行機１４０に送信するものである。ＲＦタグ読取部１６２は、ＲＦタグに格納されたユニークなタグＩＤを読み取るものである。データ紐付部１６３は、タグＩＤを商品コード・製造番号に紐付けて商品データベース１６９に格納するものである。紐付けデータ表示部１６４は、タグＩＤと商品コード・製造番号との紐付けの候補を表示するためのものである。また、入出力部１６８は、ＲＦタグ読取部１６２で読み取ったタグＩＤの出力や、タグＩＤとの紐付けの候補である商品コード・製造番号の出力、自動で紐付けられる候補の一覧であるタグＩＤ・組ＩＤ・通番・商品コード・製造番号を出力する出力処理部および出力インターフェイスであり、タグＩＤと紐付ける商品コード・製造番号の入力や、自動での紐付けの実行を入力する入力処理部および入力インターフェイスである。また、通信部１７１は、通信回線１８０を介してタグ発行機１２０とラベル発行機１４０との通信を行う。
【００２０】
次に、前記した各データベースについてその詳細を説明する。
図２で、タグデータベース１２８およびタグデータベース１７０の例を示す。タグデータベース１２８は、ＲＦタグに関する情報を格納するデータベースで、タグＩＤ２０１と、組ＩＤ２０２と、通番２０３で構成される。タグＩＤ２０１は、ＲＦタグがユニークに持つＩＤであり、ＲＦタグ読取部１２１が取得したＩＤを格納する。組ＩＤ２０２は、ＲＦタグが属する組を表すＩＤであり、タグ情報受付部１２２が取得した組ＩＤを格納する。通番２０３は、同じ組ＩＤの中で若い番号から順々にユニークに割り振るＩＤで、ＲＦタグ情報受付部１２２が自動的に割り振った番号を格納する。タグデータベース１７０はタグデータベース１２８の複製であり、全く同じ構造をとる。
【００２１】
次に、商品データベース１４７および商品データベース１６９について説明する。図３で、商品データベース１４７および商品データベース１６９の例を示す。商品データベース１４７は、商品に関する情報を格納するデータベースで、インデックス３０１と、商品コード３０２と、製造番号３０３と、タグＩＤ３０４で構成される。インデックス３０１は、商品データベース１４７で連番になるように割り振られたユニークな番号で、商品コード３０２と製造番号３０３の組に対して商品情報受付部１４１が割り振る番号である。商品コード３０２は、商品の種類の識別番号を示す番号で、商品情報受付部１４１が取得した商品コードを格納する。製造番号３０３は、商品を個体識別するために商品個別に割り振る番号で、商品情報受付部１４１が取得した製造番号を格納する。タグＩＤ３０４は、携帯端末機１６０で商品コード３０２・製造番号３０３と紐付けられるＲＦタグのタグＩＤを示すもので、携帯端末機１６０からデータを受信するまでは空である。商品データベース１６９は商品データベース１４７の複製であり、全く同じ構造をとる。商品データベース１６９のタグＩＤ３０４は、データ紐付け部１６３が商品コード３０２・製造番号３０３と紐付けたＲＦタグのタグＩＤを格納するものである。タグＩＤ３０４が格納された後に、データ送受信部１６１によって、携帯端末機１６０からラベル発行機１４０に商品データベース１６９のデータが送信され、商品データベース１６９のデータを商品データベース１４７に複製する。
【００２２】
なお、これまで示したＲＦタグ個体識別番号紐付けシステムの構成各部１２１〜１２５、１４１〜１４４、１６１〜１６６は、ＲＦタグ個体識別番号紐付けシステムにおいてハードウェアとして実現してもよいし、ＨＤＤやメモリなどの適宜な記憶装置に格納したプログラムとして実現するとしてもよい。この場合、前記システムの制御部１２６および制御部１４５および制御部１６７がプログラム実行に合わせて記憶装置より該当プログラムをメモリ１２５、メモリ１４４、メモリ１６６に読み出して、これを実行することとなる。
【００２３】
また、前記ＲＦタグ個体識別番号紐付けシステムの構成各部は、タグ発行機１２０とラベル発行機１４０と携帯端末機１６０に分散し、通信回線１８０を介して接続され、互いにデータ授受を行う形態例の他、携帯端末機１６０に備える機能として、前記構成各部（の全部または一部）が携帯端末機１６０に備わって稼動するといった例も想定できる。また、携帯端末機１６０に前記構成各部らが備わる場合にも、通信回線１８０上で連係する場合と、ハードウェアとして一体となる場合とが想定できる。さらに、タグ発行機１２０やラベル発行機１４０においても、携帯端末機１６０と同様に、前記構成各部（の全部または一部）がタグ発行機１２０やラベル発行機１４０に備わって稼動するといった例も想定できるし、通信回線１８０上で連係する場合と、ハードウェアとして一体となる場合とが想定できる。
【００２４】
続いて、本実施の形態におけるＲＦタグと個体識別番号との紐付け方法の実施手順について説明する。図４は、ＲＦタグ１０１に組ＩＤ・通番を割り振り、商品情報（商品コード・製造番号）を登録し、ＲＦタグ１０１と商品コード・製造番号をデータベース上で自動的に紐付ける処理フローを示す。なお、この処理フローのうち、タグ発行機１２０側の処理フロー（処理Ｓ４０１〜Ｓ４０４）の制御は制御部１２６が行い、ラベル発行機１４０側の処理フロー（処理Ｓ４０５、Ｓ４０６）の制御は制御部１４５が行い、携帯端末機１６０側の処理フロー（処理Ｓ４０７〜Ｓ４１１）の制御は制御部１６７が行うものとする。
【００２５】
処理Ｓ４０１では、ＲＦタグ読取部１２１が、ＲＦタグ１０１からタグＩＤを読み取る。
【００２６】
続いて、処理Ｓ４０２では、ＲＦタグ情報受付部１２２が、入出力部１２７に表示した組ＩＤ入力画面（図６参照）のタグＩＤ６００に、処理Ｓ４０１で読み取ったＲＦタグ１０１のタグＩＤを表示する。次に、ユーザにＲＦタグ１０１の属する組を決定してもらう。ユーザは、既存の組か、新規に作成する組にするかラジオボタン６０２で決定する。既存の組の場合は、ラジオボタン６０２の「選択」をチェックし、プルダウンメニュー６０３から既存の組ＩＤを選択する。新規の組の場合は、ラジオボタン６０２の「新規入力」をチェックし、テキストボックス６０４に新規の組ＩＤを入力する。ユーザは、何れかの方法を実施した後、登録・印字ボタン６０５を押下する。タグ情報受付部１２２は、登録・印字ボタン６０５の押下により組ＩＤを受け付ける。
【００２７】
次に、処理Ｓ４０３では、ＲＦタグ情報受付部１２２が通番を自動生成する。処理Ｓ４０２で登録された組ＩＤが既存か新規かによって、自動生成の方法を変更する。既存の組ＩＤの場合は、その組ＩＤの中で番号が一番大きい通番をタグデータベース１２８の組ＩＤ２０２と通番２０３で検索して、検索で得られた一番大きい通番２０３より一つ大きい通番を生成する。新規の組ＩＤの場合は、通番を「１」として生成する。
【００２８】
次に、処理Ｓ４０４では、ＲＦタグ情報受付部１２２がタグＩＤ、組ＩＤ、通番を紐付けてタグデータベース１２８に登録する。処理Ｓ４０１で読み取ったタグＩＤと処理Ｓ４０２で受け付けた組ＩＤを紐付けて、タグデータベース１２８のタグＩＤ２０１と組ＩＤ２０２に登録し、処理Ｓ４０３で生成した通番を、通番２０３に登録する。また、ＲＦタグ印字部１２３が、ＲＦタグ１０１に組ＩＤ、通番を印字する。
【００２９】
一方で、処理Ｓ４０５では、商品情報受付部１４１が、入力部１４６に商品情報登録画面（図７参照）を表示し、ユーザからの商品コード７０１、製造番号７０２の入力を、テキストボックス７０３とテキストボックス７０４で受け付ける。
【００３０】
続いて、処理Ｓ４０６では、商品情報受付部１４１が、処理Ｓ４０５で受け付けた商品コード、製造番号を商品データベース１４７の商品コード３０２、製造番号３０３に登録する。登録の際に、商品コード３０２・製造番号３０３の組み合わせに対してユニークな番号をインデックスとして生成する。インデックスは、商品コード３０２が同じものに関しては連番になるように生成し、インデックス３０１に登録する。また、ラベル印字部１４２が、商品コード、製造番号をラベル１０２に印字する。
【００３１】
処理Ｓ４０７では、処理Ｓ４０４、処理Ｓ４０６が終了した後、データ送受信部１６１が、入出力部１６８に表示したタグＩＤ・商品コード・製造番号紐付け画面（図８参照）でユーザからダウンロードボタン８００の押下を受け付け、タグ発行機１２０とラベル発行機１４０からデータを受信する。タグ発行機１２０からは、タグデータベース１２８のデータを受信し、その内容をタグデータベース１７０に複製する。ラベル発行機１４０からは、商品データベース１４７のデータを受信し、その内容を商品データベース１６９に複製する。
【００３２】
続いて、処理Ｓ４０８では、ＲＦタグ読取部１６２が、ＲＦタグ１０１からタグＩＤを読み取る。データ紐付部１６３が、入出力部１６８に表示したタグＩＤ・商品コード・製造番号紐付け画面（図８参照）のタグＩＤ８０２に、読み取ったＲＦタグ１０１のタグＩＤを表示する。次に、商品データベース１６９の商品コード３０２を検索して、商品コード８０３のプルダウンメニュー８０５に商品コードの一覧を表示し、ユーザからの商品コードの選択を受け付ける。次に、選択された商品コードをもとに、商品データベース１６９の商品コード３０２を検索して、該当するレコードの製造番号３０３を検索し、製造番号８０４のプルダウンメニュー８０６に製造番号の一覧を表示し、ユーザからの製造番号の選択を受け付ける。商品コード、製造番号が選択された後、ユーザからの読取ＲＦタグ紐付ボタン８０７の押下を受け付け、プルダウンメニュー８０５で選択された商品コードおよびプルダウンメニュー８０６で選択された製造番号で、商品データベース１６９の商品コード３０２および製造番号３０３を検索し、該当するレコードのタグＩＤ３０４にタグＩＤ８０２（読み取ったＲＦタグ１０１のタグＩＤ）を登録する。
【００３３】
次に、処理Ｓ４０９では、紐付データ表示部１６４が、処理Ｓ４０８で商品データベース１６９に登録されたタグＩＤ３０４をもとに、タグデータベース１７０のタグＩＤ２０１を検索し、該当するレコードの組ＩＤ２０２を検索する。検索された組ＩＤと同じ値の組ＩＤ２０２を持つレコードを全て検索して、そのレコードのタグＩＤ２０１と組ＩＤ２０２と通番２０３を検索する。また、紐付データ表示部１６４は、処理Ｓ４０８でタグＩＤ３０４が登録されたレコードのインデックス３０１を商品データベース１６９で検索し、そのインデックスよりも値の大きいインデックス３０１を持ち、且つ、商品コード３０２が前記レコードの商品コード３０２と同一のレコードを全て検索し、該当するレコードの商品コード３０２と製造番号３０３を検索する。紐付データ表示部１６４は、入出力部１６８に、タグＩＤ・商品コード・製造番号紐付け画面（図８参照）のタグＩＤ８１０、組ＩＤ８１１、通番８１２、商品コード８１３、製造番号８１４を、検索されたタグＩＤ２０１、組ＩＤ２０２、通番２０３、商品コード３０２、製造番号３０３として表示する。
【００３４】
処理Ｓ４１０では、データ紐付部１６３が、処理Ｓ４０９で表示したタグＩＤ８１０、組ＩＤ８１１、通番８１２、商品コード８１３、製造番号８１４を紐付けるかどうかの選択をユーザから受け付ける。ユーザは、これらを紐付ける場合は、入出力部１６８に表示したタグＩＤ・商品コード・製造番号紐付け画面（図８参照）の自動紐付ボタン８１５を押下する。紐付けない場合は、キャンセルボタン８１６を押下する。データ紐付部１６３は、自動紐付ボタン８１５の押下を受け付けた場合は、処理Ｓ４０９で商品コード３０２と製造番号３０３が検索された商品データベース１６９のレコードのタグＩＤ３０４に、処理Ｓ４０９で検索されたタグＩＤ２０１を登録する。ユーザは、タグＩＤ２０１の値を持つＲＦタグ１０１と、商品コード３０２・製造番号３０３の値を持つラベル１０２を、商品１００に貼付する。
【００３５】
処理Ｓ４１１では、データ送受信部１６１が、入出力部１６８に表示したタグＩＤ・商品コード・製造番号紐付け画面（図８参照）でユーザからアップロードボタン８１７の押下を受け付け、商品データベース１６９のデータをラベル発行機１４０に送信し、その内容を商品データベース１４７に複写する。
【００３６】
次に、前記フローに含まれる処理のうち、処理Ｓ４０９について詳細フローを示して詳述する。処理Ｓ４０９での紐付データ表示部１６４の詳細な処理フローを図５に示す。
【００３７】
この処理フローにおける処理Ｓ５０１では、処理Ｓ４０８で商品データベース１６９に登録されたタグＩＤ３０４（ＲＦタグ読取部１６２が読み取ったＲＦタグ１０１のタグＩＤ）をもとに、タグデータベース１７０のタグＩＤ２０１を検索し、該当するレコードの組ＩＤ２０２と通番２０３を検索する。検索された組ＩＤ２０２の値をＳとし、通番２０３の値をＲとする。
【００３８】
続いて、処理Ｓ５０２では、処理Ｓ４０８でタグＩＤ３０４が登録された商品データベース１６９のレコード（商品コード３０２がタグＩＤ・商品コード・製造番号紐付け画面（図８参照）のプルダウンメニュー８０５で選択された商品コードであり、且つ、製造番号３０３がプルダウンメニュー８０６で選択された製造番号であるレコード）のインデックス３０１を検索する。検索されたインデックス３０１の値をＩとする。また前記レコードの商品コード３０２の値をＣとする。
【００３９】
続いて、処理Ｓ５０３では、処理Ｓ５０４から処理Ｓ５１０までを繰り返すループを開始する。
【００４０】
続いて、処理Ｓ５０４では、通番の値Ｒを１増やし、Ｒに代入する。また、インデックスの値Ｉを１増やし、Ｉに代入する。
【００４１】
続いて、処理Ｓ５０５では、タグデータベース１７０で、組ＩＤ２０２の値がＳで、通番２０３の値がＲのレコードを検索し、前記レコードのタグＩＤ２０１を検索する。
【００４２】
続いて、処理Ｓ５０６では、処理Ｓ５０５で検索したタグＩＤ２０１が存在するかどうか判断する。タグＩＤ２０１が存在する場合は、処理Ｓ５０７へ進む。タグＩＤ２０１が存在しない場合は、処理Ｓ５１１へ進む。
【００４３】
続いて、処理Ｓ５０７では、商品データベース１６９で、インデックス３０１の値がＩのレコードを検索し、前記レコードの商品コード３０２、製造番号３０３を検索する。
【００４４】
続いて、処理Ｓ５０８では、処理Ｓ５０７で検索した商品コード３０２と製造番号３０３が存在するか判断する。商品コード３０２と製造番号３０３の何れも存在する場合は、処理Ｓ５０９へ進む。商品コード３０２と製造番号３０３の何れかが存在しない場合（あるいは両方とも存在しない場合）は、処理Ｓ５１１へ進む。
【００４５】
続いて、処理Ｓ５０９では、処理Ｓ５０７で検索した商品コード３０２の値がＣかどうか判断する。商品コード３０２の値がＣである場合は、処理Ｓ５１０へ進む。商品コード３０２の値がＣでない場合は、処理Ｓ５１１へ進む。
【００４６】
続いて、処理Ｓ５１０では、入出力部１６８のタグＩＤ・商品コード・製造番号紐付け画面（図８参照）に、タグＩＤ８１０、組ＩＤ８１１、通番８１２、商品コード８１３、製造番号８１４を表示する。タグＩＤ８１０の値は、処理Ｓ５０５で検索されたタグＩＤ２０１の値とする。組ＩＤ８１１の値は、処理Ｓ５０１で代入されたＳの値とする。通番８１２の値は、処理Ｓ５０４で代入されたＲの値とする。商品コード８１３の値は、処理Ｓ５０２で代入されたＣの値とする。製造番号８１４の値は、処理Ｓ５０７で検索された製造番号３０３の値とする。
【００４７】
処理Ｓ５１１では、処理Ｓ５０４から処理Ｓ５１０までを繰り返すループを終了する。
【００４８】
処理Ｓ４０２で表示する組ＩＤ入力画面は、例えば図６に示す画面となる。この図６の組ＩＤ入力画面は、タグＩＤ６００と、組ＩＤ６０１と、登録・印字ボタン６０５と、キャンセルボタン６０６で構成される。タグＩＤ６００は、ＲＦタグ読取部１２１がＲＦタグ１０１から読み取ったタグＩＤを表示する。組ＩＤ６０１はタグＩＤ６００がどの組に属するか示すためのもので、ラジオボタン６０２とプルダウンメニュー６０３とテキストボックス６０４で構成される。ラジオボタン６０２は、タグＩＤ６００が既存の組に属するか、新規に作成する組に属するか決定するためのもので、既存の組を利用する場合は「選択」にチェックし、新規に組を作成する場合は「新規入力」にチェックする。プルダウンメニュー６０３は、既存の組を利用する場合（ラジオボタン６０２が「選択」にチェックされた場合）に使用するもので、組ＩＤの一覧を表示し、ユーザからの組ＩＤの選択を受け付ける。テキストボックス６０４は、新規の組を作成する場合（ラジオボタン６０２が「新規入力」にチェックされた場合）に使用するもので、ユーザから新規の組ＩＤの入力を受け付ける。登録・印字ボタン６０５は、組ＩＤ６０１で受け付けた組ＩＤをタグデータベース１２８に登録し、ＲＦタグ１０１に印字するためのものである。登録・印字ボタン６０５が押下されると、通番が生成され、組ＩＤとともにタグデータベース１２８に登録され、ＲＦタグ１０１に印字される。キャンセルボタン６０６は、登録・印字をキャンセルするためのもので、タグＩＤ６００の表示およびプルダウンメニュー６０３の選択あるいはテキストボックス６０４への入力をクリアにする。
【００４９】
処理Ｓ４０５で表示する商品情報登録画面は、例えば図７に示す画面となる。この図７の商品情報登録画面は、商品情報入力テーブル７００と、登録・印字ボタン７０５と、キャンセルボタン７０６で構成される。商品情報入力テーブル７００は、商品１００の情報を入力するためのテーブルで、商品コード７０１、製造番号７０２、テキストボックス７０３、テキストボックス７０４で構成される。商品コード７０１は、商品１００の種類の識別番号を示すものである。製造番号７０２は、商品１００を個体識別するために個別に割り振られた番号である。テキストボックス７０３は、商品コード７０１を入力するためのものである。テキストボックス７０４は、製造番号７０２を入力するためのものである。登録・印字ボタン７０５は、商品情報入力テーブル７００に入力された情報（テキストボックス７０３に入力された商品コード、テキストボックス７０４に入力された製造番号）を商品データベース１４７に登録し、ラベル１０２に印字するためのものである。キャンセルボタン７０６は、登録・印字をキャンセルするためのもので、商品情報入力テーブル７００への入力（テキストボックス７０３に入力された商品コード、テキストボックス７０４に入力された製造番号）をクリアにする。
【００５０】
処理Ｓ４０７〜処理Ｓ４１１、処理Ｓ５１０で表示するタグＩＤ・商品コード・製造番号紐付け画面は、例えば図８に示す画面となる。この図８のタグＩＤ・商品コード・製造番号紐付け画面は、ダウンロードボタン８００と、手動紐付けテーブル８０１と、読取ＲＦタグ紐付ボタン８０７と、キャンセルボタン８０８と、自動紐付けテーブル８０９と、自動紐付ボタン８１５と、キャンセルボタン８１６と、アップロードボタン８１７で構成される。ダウンロードボタン８００は、タグ発行機１２０のタグデータベース１２８の内容と、ラベル発行機１４０の商品データベース１４７の内容を、携帯端末機１６０で受信するためのものである。受信したタグデータベース１２８の内容はタグデータベース１７０に複製し、受信した商品データベース１４７の内容は商品データベース１６９に複製する。手動紐付けテーブル８０１は、ＲＦタグ１０１のタグＩＤとラベル１０１の商品コード・製造番号を手動で紐付けるためのもので、タグＩＤ８０２と、商品コード８０３と、製造番号８０４と、プルダウンメニュー８０５と、プルダウンメニュー８０６で構成される。タグＩＤ８０２は、ＲＦタグ読取部１６２がＲＦタグ１０１から読み取ったＲＦタグ１０１のタグＩＤを表示する。商品コード８０３は、商品１００の種類の識別番号を示すものである。製造番号８０４は、商品１００を個体識別するために個別に割り振られた番号である。プルダウンメニュー８０５は、商品データベース１６９に登録されている商品コード３０２の一覧を表示し、ラベル１０２に印字された商品コードの選択を受け付けるためのものである。プルダウンメニュー８０６は、商品データベース１６９に登録されている製造番号３０３のうち、プルダウンメニュー８０５で選択された商品コードが商品コード３０２と一致する製造番号の一覧を表示し、ラベル１０２に印字された製造番号の選択を受け付けるためのものである。読取ＲＦタグ紐付ボタン８０７は、プルダウンメニュー８０５で選択された商品コードと、プルダウンメニュー８０６で選択された製造番号に、ＲＦタグ読取部１６２で読み取られたタグＩＤ８０２を紐付けて、商品データベース１６９に登録するためのものである。キャンセルボタン８０８は、登録をキャンセルするためのもので、タグＩＤ８０２の表示およびプルダウンメニュー８０５の選択およびプルダウンメニュー８０６の選択をクリアにする。自動紐付けテーブル８０９は、ＲＦタグと商品コード・製造番号を自動で紐付けるためのもので、タグＩＤ８１０と、組ＩＤ８１１と、通番８１２と、商品コード８１３と、製造番号８１４で構成される。タグＩＤ８１０は、タグデータベース１７０のタグＩＤ２０１のうち、タグＩＤ８０２が属する組と同じ組ＩＤを持ち、且つ、通番２０３がタグＩＤ８０２の通番より大きいものを表示する。組ＩＤ８１１は、タグＩＤ８０２が属する組の組ＩＤをタグデータベース１７０で検索して表示する。通番８１２は、タグデータベース１７０の通番２０３のうち、タグＩＤ８０２が属する組と同じ組ＩＤを持ち、且つ、タグＩＤ８０２の通番よりも大きいものを表示する。商品コード８１３は、商品コード８０３のプルダウンメニュー８０５で選択された商品コードと同じ値を表示する。製造番号８１４は、商品コード８０３のプルダウンメニュー８０５で選択された商品コードと、製造番号８０４のプルダウンメニュー８０６で選択された製造番号を、商品データベース１６９で検索し、該当レコードのインデックス３０１を検索して、それよりも大きいインデックスで、且つ、商品コード３０２が商品コード８１３と同じレコードの製造番号３０３を表示する。自動紐付ボタン８１５は、タグＩＤ８１０と、商品コード８１３と、製造番号８１４を紐付けて、商品データベース１６９に登録するためのものである。キャンセルボタン８１６は、登録をキャンセルするためのもので、自動紐付けテーブル８０９（タグＩＤ８１０、組ＩＤ８１１、通番８１２、商品コード８１３、製造番号８１４の表示）をクリアにする。アップロードボタン８１７は、携帯端末機１６０の商品データベース１６９の内容を、ラベル発行機１４０に送信するためのものである。送信した商品データベース１６９の内容は商品データベース１４７に複写される。
【００５１】
なお、本実施の例では、処理Ｓ４０５で、商品データベース１４７への商品情報（商品コード、製造番号）の登録を入力部１４６から行うものとしたが、商品情報を管理する既存のデータベースが存在する場合、前記データベースから商品データベース１４７に商品情報を複写することで、入力部１４６からの登録を省略することとしても良い。
【００５２】
また、本実施の例では、処理Ｓ４０５で、商品情報（商品コード、製造番号）を入力部１４６から入力することとしたが、ラベル発行機１４０がバーコード読取部を備え、商品コードと製造番号がバーコードで表記されている場合、前記バーコード読取部が商品コードと製造番号のバーコードを読み取り、商品コード、製造番号を入力部１４５に入力することとしても良い。
【００５３】
また、本実施の例では、処理Ｓ４１０で、タグＩＤ・商品コード・製造番号紐付け画面（図８参照）の自動紐付ボタン８１５のユーザからの押下を受け付け、複数のＲＦタグを商品コード・製造番号に自動で紐付けることとした。しかしながら、ユーザによっては、複数のＲＦタグを商品コード・製造番号と自動で紐付けずに、ＲＦタグを一つずつ手動で商品コード・製造番号に紐付ける場合も考えられる。この場合は、処理Ｓ４１０でユーザがキャンセルボタン８１６を押下することで、複数のＲＦタグを商品コード・製造番号に自動で紐付けないことが可能である。この場合、ＲＦタグの商品コード・製造番号への紐付けは、処理Ｓ４０８で、ユーザが読取ＲＦタグ紐付ボタン８０７を押下することにより、ＲＦタグを一つずつ手動で行うこととなる。
【００５４】
また、本実施の例では、商品データベース１６９へのタグＩＤ・商品コード・製造番号の紐付けの登録（処理Ｓ４１０）の前に、処理Ｓ４０９でタグＩＤ・商品コード・製造番号紐付け画面（図８参照）の自動紐付けテーブル８０９を表示することにより、タグＩＤ・商品コード・製造番号の紐付けデータを事前に確認できるものとしたが、商品データベース１６９へのタグＩＤ・商品コード・製造番号の紐付けの登録（処理Ｓ４１０）を先に行い、登録後に、処理Ｓ４０９でタグＩＤ・商品コード・製造番号紐付け画面（図８参照）の自動紐付けテーブル８０９を表示することにより、タグＩＤ・商品コード・製造番号の紐付けデータを事後に確認することとしても良い。
【００５５】
また、本実施の例では、処理Ｓ５０２でタグＩＤ３０４が登録された商品データベース１６９のレコードのインデックス３０１の値をＩとし、処理Ｓ５０４で、Ｉを１増やしてＩに代入し、処理Ｓ５０７でインデックス３０１の値がＩのレコードを検索することとしたが、インデックス３０１を利用する代わりに商品コード３０２と製造番号３０３を利用することとし、処理Ｓ５０２でタグＩＤ３０４が登録された商品データベース１６９のレコードの製造番号３０３の値をＳＳとし、処理Ｓ５０４で、ＳＳを１増やしてＳＳに代入し、処理Ｓ５０７で、商品コード３０２の値がＣで、且つ、製造番号３０３の値がＳＳのレコードを検索することとしても良い。この場合、商品コードが同一のものに対しては、製造番号は連番が振られていることを前提とする。
【００５６】
以上、本発明の実施の形態について、その実施の形態に基づき具体的に説明したが、これに限定されるものではなく、その要旨を逸脱しない範囲で種々変更可能である。
【図面の簡単な説明】
【００５７】
【図１】本発明の一実施形態にかかるＲＦタグ個体識別番号紐付けシステムの構成図である。
【図２】タグデータベースの具体例を示す図である。
【図３】商品データベースの具体例を示す図である。
【図４】ＲＦタグに組ＩＤ・通番を割り振り、商品コード・製造番号を登録し、ＲＦタグと商品コード・製造番号の紐付けまでを行う処理フローである。
【図５】ＲＦタグと商品コード・製造番号の自動的な紐付けの候補を表示する処理フローである。
【図６】組ＩＤ入力画面の外観を示す図である。
【図７】商品情報登録画面の外観を示す図である。
【図８】タグＩＤ・商品コード・製造番号紐付け画面の外観を示す図である。
【符号の説明】
【００５８】
１００  商品
１０１  ＲＦタグ
１０２  ラベル
１２０  タグ発行機
１２１  ＲＦタグ読取部
１２２  タグ情報受付部
１２３  ＲＦタグ印字部
１２４  プログラム
１２５  メモリ
１２６  制御部
１２７  入出力部
１２８  タグデータベース
１２９  通信部
１４０  ラベル発行機
１４１  商品情報受付部
１４２  ラベル印字部
１４３  プログラム
１４４  メモリ
１４５  制御部
１４６  入力部
１４７  商品データベース
１４８  通信部
１６０  携帯端末機
１６１  データ送受信部
１６２  ＲＦタグ読取部
１６３  データ紐付部
１６４  紐付データ表示部
１６５  プログラム
１６６  メモリ
１６７  制御部
１６８  入出力部
１６９  商品データベース
１７０  タグデータベース
１７１  通信部
１８０  通信回線
【図１】
0005033569.tif 000002
【図２】
0005033569.tif 000003
【図３】
0005033569.tif 000004
【図４】
0005033569.tif 000005
【図５】
0005033569.tif 000006
【図６】
0005033569.tif 000007
【図７】
0005033569.tif 000008
【図８】
0005033569.tif 000009